(57)【要約】【課題】少ない角度の回転操作でキャップを口部に着脱でき、しかも、全高寸法の増加を抑制できるキャップ付き容器を提供する。【解決手段】キャップ３は、回り止め部６を有する係止部材７と、回り止め部６が容器本体２に係止した係止部材７の回り止め状態で周方向に回転可能に、係止部材７に連結された回動部材８とを備え、係止部材７は、抜け止め部１２を有する可動部１３を備え、回動部材８は、回り止め状態における周方向への回動部材８の回転に伴って径方向への可動部１３の移動を案内することにより、キャップ３の状態を、抜け止め部１２が口部２ａに係止可能に係合したロック状態と、口部２ａへの抜け止め部１２の係合が解除された非ロック状態との間で切替える案内部１９を有する。【選択図】図６
2019081596.tif 000002
【特許請求の範囲】
【請求項１】
筒状の口部を有する容器本体と、
前記口部に着脱可能なキャップとを有し、
前記キャップは、
前記容器本体に前記口部の周方向に係止可能な回り止め部を有する係止部材と、
前記回り止め部が前記容器本体に係止した前記係止部材の回り止め状態で前記口部の周方向に回転可能に、前記係止部材に連結された回動部材とを備え、
前記係止部材は、前記口部に軸方向に係止可能な抜け止め部を有するとともに前記口部の径方向に移動可能な可動部を備え、
前記回動部材は、前記係止部材の前記回り止め状態における前記口部の周方向への前記回動部材の回転に伴って前記口部の径方向への前記可動部の移動を案内することにより、前記キャップの状態を、前記抜け止め部が前記口部に係止可能に係合したロック状態と、前記口部への前記抜け止め部の係合が解除された非ロック状態との間で切替える案内部を有する、キャップ付き容器。
【請求項２】
前記案内部は、前記係止部材の前記回り止め状態における前記口部の周方向の一方への前記回動部材の回転に伴って前記可動部を押圧して前記口部の径方向内側に移動させ、前記キャップを前記ロック状態にするとともに、前記係止部材の前記回り止め状態における前記口部の周方向の他方への前記回動部材の回転に伴って前記可動部への押圧を解除する第１案内面を有する、請求項１に記載のキャップ付き容器。
【請求項３】
前記案内部は、前記係止部材の前記回り止め状態における前記口部の周方向の他方への前記回動部材の回転に伴って前記可動部を押圧して前記口部の径方向外側に移動させ、前記キャップを前記非ロック状態にするとともに、前記係止部材の前記回り止め状態における前記口部の周方向の一方への前記回動部材の回転に伴って前記可動部への押圧を解除する第２案内面を有する、請求項１又は２に記載のキャップ付き容器。
【請求項４】
前記可動部は、前記案内部に前記軸方向に係止可能に係合する抜け止め補助部を有する、請求項１〜３のいずれか一項に記載のキャップ付き容器。
【請求項５】
前記回動部材は、前記キャップが前記ロック状態になったときに前記可動部に当接し、前記回動部材の回転を停止させるストッパ部を有する、請求項１〜４のいずれか一項に記載のキャップ付き容器。
【請求項６】
前記可動部は、基端部から先端部まで前記口部の周方向に延在する片持ち弾性片を有する、請求項１〜５のいずれか一項に記載のキャップ付き容器。
【請求項７】
前記係止部材は、
環状をなすリングと、
前記リングの内周面から突出するとともに前記可動部の前記基端部に一体に連結する支持凸部とを備え、
前記回り止め部は、前記支持凸部における前記口部の径方向内側の端部に設けられている、請求項６に記載のキャップ付き容器。
【請求項８】
前記回動部材は、
前記係止部材の回り止め状態において前記口部の周方向に回転可能に、前記リングの外周面に嵌合した外筒と、
前記外筒の上端部から内径を縮径させつつ上方に延在する上筒と、
前記上筒の上端部を閉塞する頂壁とを有し、
前記案内部は、前記上筒の内周面によって構成されている、請求項７に記載のキャップ付き容器。
【発明の詳細な説明】
【技術分野】
【０００１】
本開示は、キャップ付き容器に関する。
【背景技術】
【０００２】
従来、容器本体の口部に着脱可能なキャップとしては、ねじ部を有するものが知られている。このようなねじキャップは、通常、口部への着脱のために多くの回転操作が必要となるため、回転操作の途中で持ち替えが必要になる。したがって、操作性を考慮すると、キャップの着脱に要する回転角度を低減することが望ましい。キャップの着脱に要する回転角度は、ねじ部を例えば特許文献１に記載されるような多条ねじにして、条数を増やしていくことで低減できる。
【先行技術文献】
【特許文献】
【０００３】
【特許文献１】特開２０１２−２３２７７３号公報
【発明の概要】
【発明が解決しようとする課題】
【０００４】
しかし、多条ねじの条数を増やしていくと、キャップの着脱に要する回転角度は低減するものの、ねじ部の全高寸法が増加して、容器の全高寸法の増加を招いてしまう。
【０００５】
本発明の目的は、少ない角度の回転操作でキャップを口部に着脱でき、しかも、全高寸法の増加を抑制できるキャップ付き容器を提供することにある。
【課題を解決するための手段】
【０００６】
本発明の一態様に係るキャップ付き容器は、
筒状の口部を有する容器本体と、
前記口部に着脱可能なキャップとを有し、
前記キャップは、
前記容器本体に前記口部の周方向に係止可能な回り止め部を有する係止部材と、
前記回り止め部が前記容器本体に係止した前記係止部材の回り止め状態で前記口部の周方向に回転可能に、前記係止部材に連結された回動部材とを備え、
前記係止部材は、前記口部に軸方向に係止可能な抜け止め部を有するとともに前記口部の径方向に移動可能な可動部を備え、
前記回動部材は、前記係止部材の前記回り止め状態における前記口部の周方向への前記回動部材の回転に伴って前記口部の径方向への前記可動部の移動を案内することにより、前記キャップの状態を、前記抜け止め部が前記口部に係止可能に係合したロック状態と、前記口部への前記抜け止め部の係合が解除された非ロック状態との間で切替える案内部を有する。
【０００７】
本発明に係るキャップ付き容器は、前記案内部に、前記係止部材の前記回り止め状態における前記口部の周方向の一方への前記回動部材の回転に伴って前記可動部を押圧して前記口部の径方向内側に移動させ、前記キャップを前記ロック状態にするとともに、前記係止部材の前記回り止め状態における前記口部の周方向の他方への前記回動部材の回転に伴って前記可動部への押圧を解除する第１案内面を有してもよい。
【０００８】
本発明に係るキャップ付き容器は、前記案内部に、前記係止部材の前記回り止め状態における前記口部の周方向の他方への前記回動部材の回転に伴って前記可動部を押圧して前記口部の径方向外側に移動させ、前記キャップを前記非ロック状態にするとともに、前記係止部材の前記回り止め状態における前記口部の周方向の一方への前記回動部材の回転に伴って前記可動部への押圧を解除する第２案内面を有してもよい。
【０００９】
本発明に係るキャップ付き容器は、前記可動部に、前記案内部に前記軸方向に係止可能に係合する抜け止め補助部を有してもよい。
【００１０】
本発明に係るキャップ付き容器は、前記回動部材に、前記キャップが前記ロック状態になったときに前記可動部に当接し、前記回動部材の回転を停止させるストッパ部を有してもよい。
【００１１】
本発明に係るキャップ付き容器は、前記可動部に、基端部から先端部まで前記口部の周方向に延在する片持ち弾性片を有していてもよい。
【００１２】
本発明に係るキャップ付き容器は、
前記係止部材に、
環状をなすリングと、
前記リングの内周面から突出するとともに前記可動部の前記基端部に一体に連結する支持凸部とを備えもよく、
前記回り止め部が、前記支持凸部における前記口部の径方向内側の端部に設けられてもよい。
【００１３】
本発明に係るキャップ付き容器は、
前記回動部材に、
前記係止部材の回り止め状態において前記口部の周方向に回転可能に、前記リングの外周面に嵌合した外筒と、
前記外筒の上端部から内径を縮径させつつ上方に延在する上筒と、
前記上筒の上端部を閉塞する頂壁とを有してもよく、
前記案内部が、前記上筒の内周面によって構成されてもよい。
【発明の効果】
【００１４】
本発明によれば、少ない角度の回転操作でキャップを口部に着脱でき、しかも、全高寸法の増加を抑制できるキャップ付き容器を提供することができる。
【図面の簡単な説明】
【００１５】
【図１】本発明の一実施形態に係るキャップ付き容器をキャップの非ロック状態で示す縦断面図である。
【図２】図１のＡ−Ａ線に沿う横断面図である。
【図３】図１のＢ−Ｂ線に沿う横断面図である。
【図４】図２のＣ−Ｃ線に沿う縦断面図である。
【図５】図４に示す容器本体の口部を図４の矢印Ｄに沿って視た側面図である。
【図６】図１に示すキャップ付き容器をキャップのロック状態で示す縦断面図である。
【図７】図６のＥ−Ｅ線に沿う横断面図である。
【図８】図６のＦ−Ｆ線に沿う横断面図である。
【発明を実施するための形態】
【００１６】
以下、図面を参照して、本発明の一実施形態に係るキャップ付き容器について詳細に例示説明する。なお、本明細書において縦断面とは、容器本体の口部の中心軸線を含む断面を意味し、横断面とは、容器本体の口部の中心軸線と垂直な断面を意味する。
【００１７】
図１に示すように、本実施形態に係るキャップ付き容器１（以下、単に容器１ともいう）は、中心軸線Ｏを中心とする筒状（より具体的には円筒状）の口部２ａを有する容器本体２と、口部２ａに着脱可能なキャップ３とを有している。容器本体２は、口部２ａの外周面とともに環状段部４を形成して該環状段部４から下方に延在する胴部２ｂと、胴部２ｂの下端部を閉塞する底部２ｃとを有している。本実施形態では、口部２ａの外周面である口部外周面４ａと、胴部２ｂの上端面である胴部上端面４ｂとで、上面視円環状の環状段部４が形成されている。本実施形態では、容器１は、広口の口部２ａを有するとともに高さ方向に短いジャー容器として構成されているが、これに限定されない。例えば、容器１は、細口の口部を有するとともに高さ方向に長いボトル容器として構成されてもよい。容器本体２の内側に形成された収容空間５には、内容物として、クリーム状の化粧料等が収容されている。しかし、内容物は、化粧料に限定されない。また、内容物は、クリーム状のものに限定されず、固形状、粉状又は液状のもの等であってよい。
【００１８】
図２及び図４に示すように、キャップ３は、容器本体２に口部２ａの周方向の一方ＣＤ１と他方ＣＤ２との両方に係止可能な回り止め部６を有する係止部材７を備えている。また、キャップ３は、回り止め部６が容器本体２に係止した係止部材７の回り止め状態で口部２ａの周方向の一方ＣＤ１と他方ＣＤ２との両方に回転可能に、係止部材７に連結された回動部材８を備えている。回動部材８は、本体部材８ａと、本体部材８ａに固着されたパッキン部材８ｂとを有している。本体部材８ａは、円筒状の外筒９と、外筒９の上端部から内径を縮径させつつ上方に延在する上筒１０と、上筒１０の上端部を閉塞する頂壁１１とを有している。パッキン部材８ｂは頂壁１１の下面に固着されている。しかし、回動部材８は、パッキン部材８ｂを有していなくても構わない。係止部材７、本体部材８ａ及び容器本体２は、それぞれ、例えば合成樹脂の射出成形によって得ることができる。なお、係止部材７、本体部材８ａ及び容器本体２の材料及び製造方法は、適宜変更が可能である。
【００１９】
図１及び図２に示すように、係止部材７は、口部２ａに口部２ａの軸方向上側に係止可能（図６参照）な抜け止め部１２を有するとともに口部２ａの径方向内側と径方向外側との両方に移動可能な可動部１３を備えている。可動部１３は、基端部から先端部まで口部２ａの周方向の他方ＣＤ２に延在する片持ち弾性片を有している。また、係止部材７は、円筒状をなすリング１４と、リング１４の内周面から突出するとともに可動部１３の基端部に一体に連結する支持凸部１５とを備えている。支持凸部１５は、図２及び図４に示すように、口部２ａの軸方向及び径方向に延在する板状をなしている。回り止め部６は、支持凸部１５における口部２ａの径方向内側の端部に設けられている。図５に示すように、回り止め部６は、口部２ａの外周面に設けられた上方に開口する凹部で構成された回り止め凹部１６に上方から挿入される凸部で構成されている。
【００２０】
図１及び図２に示すように、可動部１３は、上面視円弧状に湾曲する長尺の湾曲板状をなす弾性アーム１７と、弾性アーム１７の先端部から上方に延在する被案内片１８とを有している。被案内片１８は上面視円弧状に湾曲する湾曲板状をなしている。図６に示すように、被案内片１８の外周面には、回動部材８の案内部１９の第１案内面１９ａに口部２ａの軸方向下側に係止可能に係合する抜け止め補助部２０が設けられている。抜け止め補助部２０は、第１案内面１９ａに周方向に沿って延在するように設けられた凹部で構成された抜け止め補助凹部２１に挿入される、上面視円弧状をなす凸部で構成されている。図２に示すように、可動部１３の弾性アーム１７の先端部における内周面には、抜け止め部１２が設けられている。抜け止め部１２は、口部２ａの外周面に周方向に沿って延在するように設けられた凹部で構成された抜け止め凹部２２に径方向外側から挿入される（図７参照）、上面視円弧状をなす凸部で構成されている。
【００２１】
図２に示すように、係止部材７は、周方向に等間隔を空けて配置された４つの可動部１３、支持凸部１５及び回り止め部６を有している。また、口部２ａは、周方向に等間隔を空けて配置された４つの回り止め凹部１６を有している。可動部１３、支持凸部１５、回り止め部６及び回り止め凹部１６の数は、増減が可能であり、単数でも構わない。また、複数の可動部１３、支持凸部１５、回り止め部６及び回り止め凹部１６における周方向の間隔は、等間隔に限られない。
【００２２】
図４に示すように、回動部材８の外筒９は、係止部材７の回り止め状態において口部２ａの周方向に回転可能に、リング１４の外周面に嵌合している。本実施形態では、外筒９の内周面に設けられた円環状の凹部がリング１４の外周面に設けられた円環状の凸部に嵌合している。しかし、外筒９をリング１４の外周面に嵌合するための構成は、適宜変更が可能である。
【００２３】
回動部材８は、係止部材７の回り止め状態における口部２ａの周方向の一方ＣＤ１及び他方ＣＤ２（図２参照）への回動部材８の回転に伴って口部２ａの径方向内側及び外側への可動部１３の移動を案内することにより、キャップ３の状態を、図６及び図７に示すような、抜け止め部１２が口部２ａに係止可能に係合したロック状態と、図１及び図２に示すような、口部２ａへの抜け止め部１２の係合が解除された非ロック状態との間で切替える案内部１９を有している。より具体的には、案内部１９は、係止部材７の回り止め状態における口部２ａの周方向の一方ＣＤ１への回動部材８の回転に伴って可動部１３の被案内片１８を押圧して可動部１３を口部２ａの径方向内側に移動させ、キャップ３をロック状態にするとともに、係止部材７の回り止め状態における口部２ａの周方向の他方への回動部材８の回転に伴ってキャップ３を非ロック状態にするように構成されている。
【００２４】
図３及び図８に示すように、案内部１９は、係止部材７の回り止め状態における口部２ａの周方向の一方ＣＤ１への回動部材８の回転に伴って可動部１３の被案内片１８を押圧して可動部１３を口部２ａの径方向内側に移動させ、キャップ３をロック状態にするとともに、係止部材７の回り止め状態における口部２ａの周方向の他方ＣＤ２への回動部材８の回転に伴って可動部１３の被案内片１８への押圧を解除する第１案内面１９ａを有している。
【００２５】
図６に示すように、案内部１９の第１案内面１９ａは、上筒１０の内周面によって構成されている。上筒１０の内周面は、図３に示すように、横断面における輪郭が、円弧状をなす円弧部２３ａと、円弧部２３ａにおける口部２ａの周方向の他方ＣＤ２側の端部から口部２ａの周方向の他方ＣＤ２に向かって口部２ａの径方向内側に傾斜するように延在する傾斜部２３ｂと、傾斜部２３ｂにおける口部２ａの周方向の他方ＣＤ２側の端部から円弧部２３ａと同径となる径方向位置まで口部２ａの径方向外側に延在する復帰部２３ｃとからなる周方向段部２３を有している。第１案内面１９ａは、上筒１０の内周面における傾斜部２３ｂによって構成されている。上筒１０の内周面は、より具体的には、周方向に等間隔を空けて配置された４つの周方向段部２３を有している。周方向段部２３の数は、増減が可能であり、単数でも構わない。また、複数の周方向段部２３における周方向の間隔は、等間隔に限られない。
【００２６】
また、案内部１９は、図８及び図３に示すように、係止部材７の回り止め状態における口部２ａの周方向の他方ＣＤ２への回動部材８の回転に伴って可動部１３の被案内片１８を押圧して可動部１３を口部２ａの径方向外側に移動させ、キャップ３を、図１及び図２に示すような非ロック状態にするとともに、係止部材７の回り止め状態における口部２ａの周方向の一方への回動部材８の回転に伴って可動部１３への押圧を解除する第２案内面１９ｂを有している。
【００２７】
頂壁１１の下面には、略円盤状をなす円盤凸部２４が設けられている。図３に示すように、円盤凸部２４の外周面は、横断面における輪郭が、円弧状をなす円弧部２５ａと、円弧部２５ａにおける口部２ａの周方向の他方ＣＤ２側の端部から口部２ａの周方向の他方ＣＤ２に向かって口部２ａの径方向内側に傾斜するように延在する傾斜部２５ｂと、傾斜部２５ｂにおける口部２ａの周方向の他方ＣＤ２側の端部から円弧部２５ａと同径となる径方向位置まで径方向外側に延在する復帰部２５ｃとからなる周方向段部２５を有している。第２案内面１９ｂは、円盤凸部２４の外周面における円弧部２５ａによって構成されている。円盤凸部２４の外周面における復帰部２５ｃは、図８に示すように、キャップ３がロック状態になったときに可動部１３の被案内片１８の先端面に当接し、回動部材８の回転を停止させるストッパ部２６を構成している。円盤凸部２４の外周面は、より具体的には、周方向に等間隔を空けて配置された４つの周方向段部２５を有している。周方向段部２５の数は、増減が可能であり、単数でも構わない。また、複数の周方向段部２５における周方向の間隔は、等間隔に限られない。
【００２８】
図６及び図７に示すように、キャップ３は、係止部材７の回り止め状態における口部２ａの周方向の一方ＣＤ１への回動部材８の回転により、キャップ３がロック状態になってからクリック感を生じさせる第１係合部２７を有している。第１係合部２７は、回動部材８の外筒９の内周面に設けられた第１乗り越え部２７ａと、係止部材７のリング１４の外周面に設けられた第１被乗り越え部２７ｂとからなっている。第１乗り越え部２７ａは、係止部材７の回り止め状態における口部２ａの周方向の他方ＣＤ２への回動部材８の回転により、キャップ３が非ロック状態になってから第１被乗り越え部２７ｂに当接し、当該第１被乗り越え部２７ｂを乗り越えることでクリック感を生じさせる。本実施形態では、第１乗り越え部２７ａと第１被乗り越え部２７ｂとはいずれも凸部で構成されているが、いずれか一方を凹部で構成してもよい。
【００２９】
また、図１及び図２に示すように、キャップ３は、係止部材７の回り止め状態における口部２ａの周方向の他方ＣＤ２への回動部材８の回転により、キャップ３が非ロック状態になってからクリック感を生じさせる第２係合部２８を有している。第２係合部２８は、回動部材８の外筒９の内周面に設けられた第２乗り越え部２８ａと、係止部材７のリング１４の外周面に設けられた第２被乗り越え部２８ｂとからなっている。第２乗り越え部２８ａは、係止部材７の回り止め状態における口部２ａの周方向の他方ＣＤ２への回動部材８の回転により、キャップ３が非ロック状態になってから第２被乗り越え部２８ｂに当接し、当該第２被乗り越え部２８ｂを乗り越えることでクリック感を生じさせる。本実施形態では、第２乗り越え部２８ａと第２被乗り越え部２８ｂとはいずれも凸部で構成されているが、いずれか一方を凹部で構成してもよい。また、本実施形態では、第２乗り越え部２８ａは第１乗り越え部２７ａからなっているが、第２乗り越え部２８ａを第１乗り越え部２７ａとは別に設けてもよい。
【００３０】
図１に示すように、本実施形態では、係止部材７は、回り止め状態において、容器本体２の環状段部４上に位置するように構成されている。そして、キャップ３の外周面は、容器本体２の外周面と面一となっている。
【００３１】
本実施形態に係るキャップ付き容器１によれば、次の要領でキャップ３を容器本体２に装着することができる。まず、ユーザーは、キャップ３を、容器本体２の口部２ａに被せ、回り止め部６が回り止め凹部１６に入り込む位置まで回転させる。すると、回り止め部６が回り止め凹部１６に入り込み、図４及び図２に示すように、キャップ３の係止部材７が回り止め状態になる。このとき、キャップ３は、図１及び図２に示すように、口部２ａへの抜け止め部１２の係合が解除された非ロック状態となっている。また、このとき、図３に示すように、回動部材８の第１案内面１９ａは、可動部１３の被案内片１８より口部２ａの周方向の他方ＣＤ２側に位置している。
【００３２】
この状態でユーザーが回動部材８を口部２ａの周方向の一方ＣＤ１に約３０°回転させると、図８に示すように、第１案内面１９ａは、口部２ａの周方向の一方ＣＤ１への移動に伴って被案内片１８を押圧して可動部１３を径方向内側に移動させ、図７及び図６に示すように、抜け止め部１２を口部２ａの抜け止め凹部２２に係止可能に係合させることができる。また、このようにキャップ３がロック状態となったとき、図７に示す第１係合部２７によってクリック感を生じさせ、ユーザーにキャップ３がロック状態となったことを知覚させることができる。また、このとき、図８に示すように、回動部材８のストッパ部２６は、被案内片１８の先端面に当接して、回動部材８の回転を確実に停止させることができる。このように、ユーザーは、キャップ３を係止部材７が回り止め状態になるまで回転させてから約３０°回転させるだけの回転操作によって、キャップ３を容器本体２に装着することができる。
【００３３】
また、キャップ３を容器本体２から離脱させる要領は次のとおりである。キャップ３のロック状態では、図８に示すように、回動部材８の第２案内面１９ｂは、可動部１３の被案内片１８より口部２ａの周方向の一方ＣＤ１側に位置している。この状態でユーザーが回動部材８を口部２ａの周方向の他方ＣＤ２に約３０°回転させると、図３に示すように、第２案内面１９ｂは、口部２ａの周方向の他方ＣＤ２への移動に伴って被案内片１８を押圧して可動部１３を径方向外側に移動させ、図２及び図１に示すように、口部２ａへの抜け止め部１２の係合を解除することができる。また、このとき、可動部１３は、弾性アーム１７の復元方向の弾性力によっても径方向外側に移動するため、ユーザーによる回動部材８の回転操作を容易にすることができる。また、このようにキャップ３が非ロック状態となったとき、図２に示す第２係合部２８によってクリック感を生じさせ、ユーザーにキャップ３が非ロック状態となったことを知覚させることができる。このようにキャップ３を非ロック状態にすることで、キャップ３を口部２ａから引き上げ、離脱させることが可能となる。したがって、ユーザーは、キャップ３を約３０°回転させるだけの回転操作によって、キャップ３を容器本体２から離脱させることができる。このように、容器本体２からのキャップ３の離脱は、装着時よりもさらに少ない回転操作によって行うことができる。
【００３４】
このように、本実施形態に係るキャップ付き容器１は、回動部材８の案内部１９により、口部２ａの周方向の一方ＣＤ１への回動部材８の回転に伴って可動部１３を径方向内側に移動させてキャップ３をロック状態にするとともに、口部２ａの周方向の他方ＣＤ２への回動部材８の回転に伴ってキャップ３を非ロック状態にするように構成されているので、少ない角度の回転操作でキャップ３を口部２ａに着脱することができ、しかも、容器１の全高寸法の増加を抑制することができる。また、抜け止め部１２を有する係止部材７は、複雑な構造の金型を用いなくても射出成形によって得ることができる。しかも、抜け止め部１２は、金型の所謂無理抜きによって形成する必要がないため、鋭いエッジを有するものとすることができる。したがって、口部２ａへの抜け止め部１２の強い係止力を容易に得ることができる。
【００３５】
前記の説明は、本発明の一実施形態を示したものにすぎず、特許請求の範囲を限定するものではない。前記の実施形態は、本開示の基礎的事項に基づいて、例えば以下のような、種々の変更が可能である。
【００３６】
前記の実施形態では、案内部１９は、係止部材７の回り止め状態における口部２ａの周方向の一方ＣＤ１及び他方ＣＤ２への回動部材８の回転に伴って口部２ａの径方向への可動部１３の移動を案内することにより、キャップ３の状態をロック状態と非ロック状態との間で切替えるように構成されていた。しかし、案内部１９は、係止部材７の回り止め状態における口部２ａの周方向の一方ＣＤ１のみ（又は他方ＣＤ２のみ）への回動部材８の回転に伴って口部２ａの径方向への可動部１３の移動を案内することにより、キャップ３の状態をロック状態と非ロック状態との間で切替えるように構成されてもよい。この場合、例えば、案内部１９は、係止部材７の回り止め状態における口部２ａの周方向の一方ＣＤ１への回動部材８の回転により、可動部１３を口部２ａの径方向内側へ案内してキャップ３をロック状態にするとともに、口部２ａの周方向の一方ＣＤ１への回動部材８のさらなる回転により、可動部１３を口部２ａの径方向外側へ案内してキャップ３を非ロック状態にするように構成されてもよい。
【００３７】
また、前記の実施形態では、案内部１９は、第１案内面１９ａを有していた。しかし、案内部１９は、第１案内面１９ａを有するものに限られない。また、前記の実施形態では、案内部１９は、第２案内面１９ｂを有していた。しかし、第２案内面１９ｂを設けない構成としてもよい。また、前記の実施形態では、可動部１３は、抜け止め補助部２０を有していた。しかし、抜け止め補助部２０を設けない構成としてもよい。また、前記の実施形態では、回動部材８は、ストッパ部２６を有していた。しかし、ストッパ部２６を設けない構成としてもよい。また、前記の実施形態では、可動部１３は、基端部から先端部まで周方向に延在する片持ち弾性片で構成されていた。しかし、可動部１３は、例えば、基端部から先端部まで上下方向に延在する片持ち弾性片で構成されてもよい。また、可動部１３は、両端部が支持された両持ちの弾性片で構成されてもよい。また、可動部１３は、弾性片で構成されたものに限られない。また、前記の実施形態では、係止部材７は、リング１４と支持凸部１５とを備えていた。しかし、係止部材７は、このような構成に限られない。また、前記の実施形態では、回り止め部１２は、支持凸部１５における口部２ａの径方向内側の端部に設けられていた。しかし、例えば、リング１４の下端部に、胴部上端面４ｂに口部２ａの周方向に係止可能な回り止め部を設けてもよい。
【符号の説明】
【００３８】
１  キャップ付き容器
２  容器本体
２ａ  口部
２ｂ  胴部
２ｃ  底部
３  キャップ
４  環状段部
４ａ  口部外周面
４ｂ  胴部上端面
５  収容空間
６  回り止め部
７  係止部材
８  回動部材
８ａ  本体部材
８ｂ  パッキン部材
９  外筒
１０  上筒
１１  頂壁
１２  抜け止め部
１３  可動部
１４  リング
１５  支持凸部
１６  回り止め凹部
１７  弾性アーム
１８  被案内片
１９  案内部
１９ａ  第１案内面
１９ｂ  第２案内面
２０  抜け止め補助部
２１  抜け止め補助凹部
２２  抜け止め凹部
２３  周方向段部
２３ａ  円弧部
２３ｂ  傾斜部
２３ｃ  復帰部
２４  円盤凸部
２５  周方向段部
２５ａ  円弧部
２５ｂ  傾斜部
２５ｃ  復帰部
２６  ストッパ部
２７  第１係合部
２７ａ  第１乗り越え部
２７ｂ  第１被乗り越え部
２８  第２係合部
２８ａ  第２乗り越え部
２８ｂ  第２被乗り越え部
Ｏ  中心軸線
ＣＤ１  周方向の一方
ＣＤ２  周方向の他方
【図１】
2019081596.tif 000003
【図２】
2019081596.tif 000004
【図３】
2019081596.tif 000005
【図４】
2019081596.tif 000006
【図５】
2019081596.tif 000007
【図６】
2019081596.tif 000008
【図７】
2019081596.tif 000009
【図８】
2019081596.tif 000010